(57)【特許請求の範囲】
【請求項１】
外部から入力される基準信号を逓倍した局部発振信号を生成する局部発振器と、
前記基準信号に基づいて、決められた周波数及び位相を有する波形のデジタル値を含むデジタル送信信号をアナログ送信信号に変換するＤＡ変換部と、
前記局部発振信号に基づいて、前記ＤＡ変換部から出力される前記アナログ送信信号をＲＦ周波数帯の信号にアップコンバートして、ＲＦ周波数帯の送信信号を生成するアップミクサ部と、
前記ＲＦ周波数帯の送信信号を増幅する高出力増幅器と、
アンテナ素子からのＲＦ周波数帯の受信信号を増幅する低雑音増幅器と、
前記局部発振信号に基づいて、前記低雑音増幅器から出力される前記ＲＦ周波数帯の受信信号をダウンコンバートするダウンミクサ部と、
前記基準信号に基づいて、前記ダウンミクサ部から出力されるアナログ受信信号をサンプリングしてデジタル受信信号に変換するＡＤ変換部と、
光ファイバを通じて伝送される前記基準信号が電気／光変換された第１光信号と、決められた周波数及び位相を有する波形のデジタル値を含む前記デジタル送信信号が電気／光変換された第２光信号とが合波された光信号を受信し、第１光信号と第２光信号とに分波する分波器と、
前記分波された第１光信号を光／電気変換して、前記基準信号として出力する第１の光／電気変換部と、
前記分波された第２光信号を光／電気変換して、決められた周波数及び位相を有する波形のデジタル値を含む前記デジタル送信信号として前記ＤＡ変換部に出力する第２の光／電気変換部と、
前記ＡＤ変換部の出力信号を電気／光変換して、前記光ファイバに出力する電気／光変換部とを備えた、送受信モジュール。
【請求項２】
前記ＤＡ変換部は、前記基準信号をサンプリングクロックとして用いて、前記デジタル送信信号を前記アナログ送信信号であるＩＦ周波数帯の送信信号に変換し、
前記アップミクサ部は、前記局部発振信号と、前記ＩＦ周波数帯の送信信号とを周波数混合して前記ＲＦ周波数帯の送信信号を生成するミクサである、請求項１記載の送受信モジュール。
【請求項３】
前記ＤＡ変換部は、前記局部発振信号をサンプリングクロックとして用いて、前記デジタル送信信号を前記アナログ送信信号であるＩＦ周波数帯の送信信号に変換し、
前記アップミクサ部は、前記局部発振信号と、前記ＩＦ周波数帯の送信信号とを周波数混合し前記ＲＦ周波数帯の送信信号を生成するミクサである、請求項１記載の送受信モジュール。
【請求項４】
前記ＤＡ変換部は、前記局部発振信号をサンプリングクロックとして用いて、前記デジタル送信信号をＩＦ周波数帯の送信信号に変換し、
前記アップミクサ部は、前記局部発振信号の２倍の周波数の信号と、前記ＩＦ周波数帯の送信信号とを周波数混合し前記ＲＦ周波数帯の送信信号を生成する偶高調波ミクサである、請求項１記載の送受信モジュール。
【請求項５】
前記ダウンミクサ部は、前記局部発振信号と、前記ＲＦ周波数帯の受信信号とを周波数混合して、ＩＦ周波数帯の受信信号を出力するミクサであり、
前記ＡＤ変換部は、前記基準信号をサンプリングクロックとして用いて、前記ＩＦ周波数帯の受信信号をサンプリングして前記デジタル受信信号に変換するＡＤコンバータである、請求項１記載の送受信モジュール。
【請求項６】
前記ダウンミクサ部は、前記局部発振信号と、前記ＲＦ周波数帯の受信信号とを周波数混合して、ＩＦ周波数帯の受信信号を出力するミクサであり、
前記ＡＤ変換部は、前記局部発振信号をサンプリングクロックとして用いて、前記ＩＦ周波数帯の受信信号をサンプリングして前記デジタル受信信号に変換するＡＤコンバータである、請求項１記載の送受信モジュール。
【請求項７】
前記ダウンミクサ部は、前記局部発振信号の２倍の周波数の信号と、前記ＲＦ周波数帯の受信信号とを周波数混合して、ＩＦ周波数帯の受信信号を出力する偶高調波ミクサであり、
前記ＡＤ変換部は、前記局部発振信号をサンプリングクロックとして用いて、前記ＩＦ周波数帯の受信信号をサンプリングして前記デジタル受信信号に変換するＡＤコンバータである、請求項１記載の送受信モジュール。
【請求項８】
前記デジタル送信信号は、互いに直交し前記決められた周波数及び位相を有する信号である同相信号および直交信号それぞれの波形のデジタル値を含み、
前記ＤＡ変換部は、前記デジタル送信信号をベースバンド信号に変換し、
前記アップミクサ部は、前記局部発振信号に基づき、前記ベースバンド信号を直交変調して前記ＲＦ周波数帯の送信信号を生成する直交変調器である、請求項１記載の送受信モジュール。
【請求項９】
前記デジタル受信信号は、互いに直交する信号である同相信号および直交信号それぞれ波形のデジタル値を含み、
前記ダウンミクサ部は、前記局部発振信号に基づき、前記ＲＦ周波数帯の受信信号を直交復調して前記同相信号と前記直交信号とを含むベースバンド信号を出力する直交復調器であり、
前記ＡＤ変換部は、前記ベースバンド信号をサンプリングして前記デジタル受信信号に変換するＡＤコンバータである、請求項１記載の送受信モジュール。
【請求項１０】
外部から入力される基準信号を逓倍した局部発振信号を生成する局部発振器と、
前記基準信号に基づいて、デジタル送信信号に含まれる位相を表わす情報および周波数を表わす情報を用いて、前記位相および周波数を有するアナログ送信信号を生成するダイレクトディジタルシンセサイザと、
前記局部発振信号に基づいて、前記ダイレクトディジタルシンセサイザから出力される前記アナログ送信信号をＲＦ周波数帯の信号にアップコンバートして、ＲＦ周波数帯の送信信号を生成するアップミクサ部と、
前記ＲＦ周波数帯の送信信号を増幅する高出力増幅器と、
アンテナ素子からのＲＦ周波数帯の受信信号を増幅する低雑音増幅器と、
前記局部発振信号に基づいて、前記低雑音増幅器から出力される前記ＲＦ周波数帯の受信信号をダウンコンバートするダウンミクサ部と、
前記基準信号に基づいて、前記ダウンミクサ部から出力されるアナログ受信信号をサンプリングしてデジタル受信信号に変換するＡＤ変換部と、
光ファイバを通じて伝送される前記基準信号が電気／光変換された第１光信号と、位相を表わす情報および周波数を表わす情報を含む前記デジタル送信信号が電気／光変換された第２光信号とが合波された光信号を受信し、第１光信号と第２光信号とに分波する分波器と、
前記分波された第１光信号を光／電気変換して、前記基準信号として出力する第１の光／電気変換部と、
前記分波された第２光信号を光／電気変換して、位相を表わす情報および周波数を表わす情報を含む前記デジタル送信信号として前記ダイレクトディジタルシンセサイザに出力する第２の光／電気変換部と、
前記ＡＤ変換部の出力信号を電気／光変換して、前記光ファイバに出力する電気／光変換部とを備えた、送受信モジュール。
【請求項１１】
前記局部発振信号を分周する分周器を備え、
前記ＤＡ変換部は、サンプリングクロックとして、前記局部発振信号を分周した信号を用いる、請求項１記載の送受信モジュール。
【請求項１２】
前記局部発振信号を分周する分周器を備え、
前記ＡＤ変換部は、サンプリングクロックとして、前記局部発振信号を分周した信号を用いる、請求項１記載の送受信モジュール。
【請求項１３】
複数個の請求項１〜１２のいずれか１項に記載の送受信モジュールと、
前記送受信モジュールのそれぞれに対応して設けられ、前記送受信モジュールの前記高出力増幅器が増幅した前記ＲＦ周波数帯の送信信号を空中に放射し、空中の電波を受信して生成した前記ＲＦ周波数帯の受信信号を前記送受信モジュールの前記低雑音増幅器に出力する複数のアンテナ素子と、
複数の前記アンテナ素子により形成される送信ビームの形状を基に生成した前記デジタル送信信号を前記送受信モジュールに出力し、複数の前記アンテナ素子により受信され前記送受信モジュールから出力される前記デジタル受信信号を合成して受信ビームを形成する制御回路と、
を備えたアクティブフェーズドアレーアンテナ。
【発明の詳細な説明】
【技術分野】
【０００１】
本発明は、送受信モジュールおよびアクティブフェーズドアレーアンテナに関し、特にレーダおよび通信装置に含まれるアクティブフェーズドアレイアンテナの構成品として用いられる送受信モジュールおよびそのような送受信モジュールを備えるアクティブフェーズドアレーアンテナに関する。
【背景技術】
【０００２】
複数のアンテナ素子をアレイ状に配列したアクティブフェーズドアレイアンテナが知られている。アクティブフェーズドアレイアンテナの一形式であるディジタルビームフォーミング型のアクティブフェーズドアレイアンテナにおいては、各々のアンテナ素子に取り付けられた送受信モジュールによって、各々のアンテナ素子から放射される電波の周波数および位相を制御する。これによって、複数の方向に同時に電波を放射するマルチビーム、ビーム幅をその用途によって変化させる可変ビーム、または特定の方向に電波を放射しないようにするヌル点を設けたアンテナ放射パターンなどを形成することができる。
【０００３】
ディジタルビームフォーミング型のアクティブフェーズドアレイアンテナにおいては、各送受信モジュールの内部に、周波数変換を行うためのアップミクサおよびダウンミクサと、アナログの無線信号とデジタル信号との間の変換を実行するＡＤＣ（Analog to Digital Converter）およびＤＡＣ（Digital to Analog Converter）が設けられている。（たとえば、特許文献１を参照）。
【０００４】
ＤＡＣによって、アレイアンテナとしてのパターン形成に必要な振幅および位相を有する信号が生成される。この信号が、アップミクサによって局部発振信号と混合されることによってアップコンバートされて、アンテナ素子を通じて出力される。複数のアンテナ素子から出力された信号が空間合成されることで、所望のアンテナパターンが形成される。また、アンテナ素子で受信した無線信号が送受信モジュール内のダウンミクサによって局部発振信号と混合されることによってダウンコンバートされる。ダウンコンバートされた信号が、ＡＤＣによってサンプリングされることによって所望のデジタルデータを得ることができる。
【先行技術文献】
【特許文献】
【０００５】
【特許文献１】特許第２９１６３９１号公報
【発明の概要】
【発明が解決しようとする課題】
【０００６】
しかしながら、特許文献１に記載されているようなアクティブフェーズドアレイアンテナにおいては、複数の送受信モジュール間でアップミクサおよびダウンミクサに入力する局部発振信号を同期させる必要があるため、外部から複数の送受信モジュール内のアップミクサおよびダウンミクサへ同期した局部発振信号を送る必要がある。さらに、各送受信モジュール内部のＡＤＣおよびＤＡＣも、変換処理のためにサンプリングクロックが必要である。このサンプリングクロックも複数の送受信モジュール間で同期している必要がある。
【０００７】
局部発振信号は、通常、アップミクサおよびダウンミクサにおいて適切な周波数の信号が使用され、サンプリングクロックも、通常、ＡＤＣおよびＤＡＣにおいて適切な周波数の信号が使用されるため、局部発振信号とサンプリングクロックは、非同期の信号となる。その結果、各送受信モジュール内部で、局部発振信号とサンプリングクロックの間で干渉が発生し、スプリアスが発生する。
【０００８】
このようなスプリアスの発生を抑制するためには、各送受信モジュール内部で、局部発振信号を伝送する信号線およびサンプリングクロックを伝送する信号線の間のアイソレーションを確保する回路または空間的な仕切りを設けなければならず、送受信モジュールの構造上の配慮が必要となる。
【０００９】
それゆえに、本発明の目的は、簡易な構成によって、スプリアスの発生を抑制することができる送受信モジュールおよびそのような送受信モジュールを備えるアクティブフェーズドアレーアンテナを提供することである。
【課題を解決するための手段】
【００１０】
上記課題を解決するために、本発明の送受信モジュールは、アンテナ素子からの受信信号を増幅するための低雑音増幅器と、送信信号を増幅するための高出力増幅器と、外部から入力される基準信号を逓倍した局部発振信号を生成する局部発振器と、基準信号に基づいて、決められた周波数及び位相を有する波形のデジタル値を含むデジタル送信信号をアナログ送信信号に変換するＤＡ変換部と、局部発振信号に基づいて、ＤＡ変換部から出力されるアナログ送信信号をＲＦ周波数帯の信号にアップコンバートして、ＲＦ周波数帯の送信信号を生成するアップミクサ部と、ＲＦ周波数帯の送信信号を増幅する高出力増幅器と、アンテナ素子からのＲＦ周波数帯の受信信号を増幅する低雑音増幅器と、局部発振信号に基づいて、低雑音増幅器から出力されるＲＦ周波数帯の受信信号をダウンコンバートするダウンミクサ部と、基準信号に基づいて、ダウンミクサ部から出力されるアナログ受信信号をサンプリングしてデジタル受信信号に変換するＡＤ変換部とを備える。
【発明の効果】
【００１１】
本発明によれば、ＤＡ変換部、アップミクサ部、ダウンミクサ部、およびＡＤ変換部は、基準信号、または基準信号を逓倍した局部発振信号によって動作する。基準信号と局部発振信号とは、同期した信号となるため、簡易な構成によって、スプリアスの発生を抑制することができる。
【図面の簡単な説明】
【００１２】
【図１】従来のアクティブフェーズドアレイアンテナの構成を表わす図である。
【図２】図１のアクティブフェーズドアレイアンテナで生成される複数の信号の周波数の関係を示す図である。
【図３】実施の形態１のアクティブフェーズドアレイアンテナの構成を表わす図である。
【図４】図３のアクティブフェーズドアレイアンテナで生成される複数の信号の周波数の関係を示す図である。
【図５】実施の形態２のアクティブフェーズドアレイアンテナの構成を表わす図である。
【図６】図５のアクティブフェーズドアレイアンテナで生成される複数の信号の周波数の関係を示す図である。
【図７】実施の形態３のアクティブフェーズドアレイアンテナの構成を表わす図である。
【図８】図７のアクティブフェーズドアレイアンテナで生成される複数の信号の周波数の関係を示す図である。
【図９】実施の形態４のアクティブフェーズドアレイアンテナの構成を表わす図である。
【図１０】図９のアクティブフェーズドアレイアンテナで生成される複数の信号の周波数の関係を示す図である。
【図１１】実施の形態５のアクティブフェーズドアレイアンテナの構成を表わす図である。
【図１２】実施の形態６のアクティブフェーズドアレイアンテナの構成を表わす図である。
【図１３】図１２のアクティブフェーズドアレイアンテナで生成される複数の信号の周波数の関係を示す図である。
【発明を実施するための形態】
【００１３】
以下に、本発明を実施するための形態について説明する。
まず、図１を参照して従来のアクティブフェーズドアレイアンテナの構成について説明する。
【００１４】
このアクティブフェーズドアレイアンテナは、制御回路９０と、Ｎ個の送受信モジュール３０−１〜３０−Ｎと、Ｎ個のアンテナ素子１−１〜１−Ｎとを備える。
【００１５】
制御回路９０は、デジタル信号処理部９２と、クロック発振器９４と、局部発振器９６と、Ｎ分配器９５と、Ｎ分配器９７とを備える。
【００１６】
デジタル信号処理部９２は、信号線Ｄ＃ｉ（ｉ＝１〜Ｎ）を通じて、送受信モジュール３０−ｉへ、デジタル送信信号Ｓｉを送信する。
【００１７】
デジタル信号処理部９２は、送受信モジュール３０−ｉ（ｉ＝１〜Ｎ）から信号線Ｄ＃ｉを通じて、デジタル受信信号Ｒｉを受信する。
【００１８】
クロック発振器９４は、クロックＣＬＫを出力する。Ｎ分配器９５は、クロックＣＬＫをＮ個に分配する。分配されたクロックＣＬＫは、信号線Ｃ＃ｉ（ｉ＝１〜Ｎ）を通じて、送受信モジュール３０−ｉへ送られる。
【００１９】
局部発振器９６は、局部発振信号ＬＯを出力する。Ｎ分配器９７は、局部発振信号ＬＯをＮ個に分配する。分配された局部発振信号ＬＯは、信号線Ｌ＃ｉ（ｉ＝１〜Ｎ）を通じて、送受信モジュール３０−ｉへ送られる。
【００２０】
送受信モジュール３０−ｉ（ｉ＝１〜Ｎ）は、サーキュレータ２と、高出力増幅器３と、アップミクサ４と、ＤＡＣ５と、低雑音増幅器７と、ダウンミクサ８と、ＡＤＣ９とを備える。
【００２１】
アップミクサ４は、局部発振信号ＬＯとＤＡＣ５から出力されるＩＦ（Intermediate Frequency）周波数帯の信号（ＩＦ送信信号）とを周波数混合して、高出力増幅器３へ出力する。ダウンミクサ８は、局部発振信号と低雑音増幅器７から出力されるＲＦ（Radio Frequency）周波数帯の信号（ＲＦ受信信号）とを周波数混合して、ＡＤＣ９へ出力する。ＤＡＣ５およびＡＤＣ９は、クロックＣＬＫをサンプリングクロックとして用いる。
【００２２】
図２は、図１のアクティブフェーズドアレイアンテナで生成される複数の信号の周波数の関係を示す図である。
【００２３】
図２において、ｆ（if）は、ＤＡＣ５から出力されるＩＦ送信信号およびＡＤＣ９に入力されるＩＦ受信信号の周波数を表わす。ｆ（clk）は、ＡＤＣ９およびＤＡＣ５のサンプリングクロックＣＬＫの周波数を表わす。ｆ（lo）は、局部発振信号ＬＯの周波数を表わす。ｆ（rf）は、アップミクサ４から出力されるＲＦ送信信号およびダウンミクサ８に入力されるＲＦ受信信号の周波数を表わす。ここで、以下の関係がある。
【００２４】
ｆ（rf）＝ｆ（if）＋ｆ（lo）・・・（１）
ｆ（lo）≠ｆ（clk）・・・（２）
送受信モジュール３０−ｉへ送信された局部発振信号ＬＯとクロックＣＬＫは、非同期の信号であるため、アイソレーションが確保されていない場合に、送受信モジュール３０−ｉ内で互いに干渉しあって、波形が変化する。ＡＤＣ９およびＤＡＣ９は、波形が変化したＣＬＫに基づいてサンプリングを行ない、ダウンミクサ８およびアップミクサ４は、波形が変化した局部発振信号ＬＯを用いて周波数混合を行なうことになる。その結果、送信スプリアス（不要波の放射）および受信スプリアス（感度劣化）が発生する。
【００２５】
［実施の形態１］
図３は、実施の形態１のアクティブフェーズドアレイアンテナの構成を表わす図である。
【００２６】
このアクティブフェーズドアレイアンテナは、制御回路５０と、Ｎ個の送受信モジュール３０−１〜３０−Ｎと、Ｎ個のアンテナ素子１−１〜１−Ｎとを備える。
【００２７】
制御回路５０は、デジタル信号処理部５２と、基準信号発振器５４と、Ｎ分配器５６と、Ｅ／Ｏ変換部６０−１〜６０−Ｎと、Ｅ／Ｏ変換部６１−１〜６１−Ｎと、Ｏ／Ｅ変換部６２−１〜６２−Ｎと、合波器６３−１〜６３−Ｎとを備える。
【００２８】
デジタル信号処理部５２は、ビームフォーミング処理、符号化、および復号化などの処理を行なう。デジタル信号処理部５２は、送受信モジュール３０−ｉ（ｉ＝１〜Ｎ）へのデジタル送信信号ＳｉをＥ／Ｏ変換部６１−ｉへ出力する。Ｅ／Ｏ変換部６１−ｉは、デジタル送信信号Ｓｉを光信号βｉに変換して合波器６３−ｉへ出力する。
【００２９】
基準信号発振器５４は、ＩＦ周波数帯の基準信号ＲＥＦを出力する。Ｎ分配器５６は、基準信号ＲＥＦをＮ個に分配して、Ｅ／Ｏ変換部（ＲｏＦ）６０−ｉ（ｉ＝１〜Ｎ）へ出力する。Ｅ／Ｏ変換部（ＲｏＦ）６０−ｉは、ＲｏＦ（Radio on Fiber）技術を用いて、ＩＦ周波数帯の基準信号ＲＥＦを光信号αｉに変換して合波器６３−ｉへ出力する。
【００３０】
合波器６３−ｉ（ｉ＝１〜Ｎ）は、光信号αｉと光信号βｉとを合波して、合波された光信号γｉを光ファイバＦ＃ｉを通じて、送受信モジュール３０−ｉへ送信する。
【００３１】
Ｏ／Ｅ変換部６２−ｉ（ｉ＝１〜Ｎ）は、送受信モジュール３０−ｉから光ファイバＦ＃ｉを通じて、光信号δｉを受けて、デジタル受信信号Ｒｉに変換して、デジタル信号処理部５２へ出力する。
【００３２】
送受信モジュール３０−ｉ（ｉ＝１〜Ｎ）は、サーキュレータ２と、高出力増幅器３と、アップミクサ４と、ＤＡＣ５と、Ｏ／Ｅ変換部６と、Ｏ／Ｅ変換部（ＲｏＦ）１２と、分波器１３と、低雑音増幅器７と、ダウンミクサ８と、ＡＤＣ９と、Ｅ／Ｏ変換部１０と、局部発振器１１とを備える。
【００３３】
分波器１３は、制御回路５０から光ファイバＦ＃ｉを通じて受信した光信号γｉを分波して、光信号αｉと光信号βｉとを出力する。
【００３４】
Ｏ／Ｅ変換部６は、光信号βｉをデジタル送信信号Ｓｉに変換して、ＤＡＣ５に出力する。
【００３５】
Ｏ／Ｅ変換部（ＲｏＦ）１２は、光信号αｉをＩＦ周波数帯の基準信号ＲＥＦに変換して、ＡＤＣ９、ＤＡＣ５および局部発振器１１へ出力する。
【００３６】
ＤＡＣ５およびＡＤＣ９は、基準信号ＲＥＦ（ＣＬＫ）をサンプリングクロックＣＬＫとして用いる。
【００３７】
局部発振器１１は、基準信号ＲＥＦを受けて、基準信号ＲＥＦの周波数ｆ(ref)のＮ倍の周波数ｆ（lo）の局部発振信号ＬＯを出力する。
【００３８】
アップミクサ４およびダウンミクサ８は、局部発振信号ＬＯに基づいて、それぞれアップコンパート処理、ダウンコンバート処理を実行する。
【００３９】
サーキュレータ２は、高出力増幅器３から出力される送信信号をアンテナ素子１−ｉへ出力し、アンテナ素子１−ｉから出力される受信信号を低雑音増幅器７へ出力する。
【００４０】
高出力増幅器３は、アップミクサ４から出力されるＲＦ送信信号を所望の電力まで増幅する。
【００４１】
低雑音増幅器７は、アンテナ素子１−ｉから出力されるＲＦ受信信号を増幅する。
アンテナ素子１−ｉは、送受信モジュール３０−ｉに対応して設けられる。アンテナ素子１−ｉは、高出力増幅器３が増幅したＲＦ送信信号を空中に放射する。アンテナ素子１−ｉは、空中の電波を受信して生成したＲＦ受信信号を送受信モジュール３０−ｉの低雑音増幅器７に出力する。
【００４２】
デジタル信号処理部５２は、アンテナ素子１−１〜１−Ｎにより形成される送信ビームの形状を基に生成したデジタル送信信号Ｓ１〜ＳＮを送受信モジュール３０−１〜３０−Ｎに出力する。デジタル信号処理部５２は、アンテナ素子１−１〜１−Ｎにより受信され送受信モジュール３０−１〜３０−Ｎから出力されるデジタル受信信号Ｒ１〜ＲＮを合成して受信ビームを形成する。
【００４３】
次に、実施の形態１のアクティブフェーズドアレイアンテナの送信動作について説明する。
【００４４】
デジタル信号処理部５２は、送受信モジュール３０−ｉ（ｉ＝１〜Ｎ）へのデジタル送信信号ＳｉをＥ／Ｏ変換部６１−ｉへ出力する。デジタル送信信号Ｓｉは、アンテナ素子１−ｉから出力される送信信号の位相および周波数を有する波形のデジタル値を含む。
【００４５】
Ｅ／Ｏ変換部６１−ｉ（ｉ＝１〜Ｎ）は、デジタル送信信号Ｓｉを光信号βｉに変換して合波器６３−ｉへ出力する。
【００４６】
基準信号発振器５４は、ＩＦ周波数帯の基準信号ＲＥＦを出力する。Ｎ分配器５６は、基準信号ＲＥＦをＮ個に分配して、Ｅ／Ｏ変換部（ＲｏＦ）６０−ｉ（ｉ＝１〜Ｎ）へ出力する。
【００４７】
Ｅ／Ｏ変換部６０−ｉ（ｉ＝１〜Ｎ）は、ＩＦ周波数帯の基準信号ＲＥＦを光信号αｉに変換して合波器６３−ｉへ出力する。
【００４８】
合波器６３−ｉ（ｉ＝１〜Ｎ）は、光信号αｉと光信号βｉとを合波して、合波された光信号γｉを光ファイバＦ＃ｉを通じて、送受信モジュール３０−ｉへ送信する。
【００４９】
送受信モジュール３０−ｉ（ｉ＝１〜Ｎ）内の分波器１３は、制御回路５０から光ファイバＦ＃ｉを通じて受信した光信号γｉを分波して、光信号αｉと光信号βｉとを生成し、光信号βｉをＯ／Ｅ変換部６へ出力し、光信号αｉをＯ／Ｅ変換部（ＲｏＦ）１２へ出力する。
【００５０】
送受信モジュール３０−ｉ（ｉ＝１〜Ｎ）内のＯ／Ｅ変換部６は、光信号βｉをデジタル送信信号Ｓｉに変換して、ＤＡＣ５へ出力する。
【００５１】
送受信モジュール３０−ｉ（ｉ＝１〜Ｎ）内のＯ／Ｅ変換部（ＲｏＦ）１２は、光信号αｉをＩＦ周波数帯の基準信号ＲＥＦに変換して、ＤＡＣ５、ＡＤＣ９および局部発振器１１へ出力する。
【００５２】
送受信モジュール３０−ｉ（ｉ＝１〜Ｎ）内のＤＡＣ５は、基準信号ＲＥＦをサンプリングクロックＣＬＫとして用いて、デジタル送信信号Ｓｉに含まれるデジタル値をアナログ信号に変換する。これによって、所望の周波数および位相を有するＩＦ周波数帯の送信信号（ＩＦ送信信号）が得られる。サンプリングクロックＣＬＫの周波数は、所望の周波数の４倍程度である。
【００５３】
送受信モジュール３０−ｉ（ｉ＝１〜Ｎ）内の局部発振器１１は、基準信号ＲＥＦを受けて、基準信号ＲＥＦをＮ逓倍して得られる局部発振信号ＬＯをアップミクサ４およびダウンミクサ８へ出力する。
【００５４】
送受信モジュール３０−ｉ（ｉ＝１〜Ｎ）内のアップミクサ４は、ＤＡＣ５から出力されるＩＦ送信信号と、局部発振信号ＬＯとを周波数混合して、ＲＦ周波数帯の信号（ＲＦ送信信号）を生成する。
【００５５】
送受信モジュール３０−ｉ（ｉ＝１〜Ｎ）内の高出力増幅器３は、アップミクサ４から出力されるＲＦ送信信号を所望の電力まで増幅する。
【００５６】
アンテナ素子１−ｉ（ｉ＝１〜Ｎ）は、サーキュレータ２を経由して高出力増幅器３から送られる送信信号を放射する。
【００５７】
アンテナ素子１−１〜１−ｎから送信される信号が空間合成されることによって、アクティブフェーズドアレイアンテナ全体として所望のアンテナパターンが形成される。
【００５８】
次に、実施の形態１のアクティブフェーズドアレイアンテナの受信動作について説明する。
【００５９】
基準信号発振器５４は、ＩＦ周波数帯の基準信号ＲＥＦを出力する。
Ｎ分配器９５は、基準信号ＲＥＦをＮ個に分配して、Ｅ／Ｏ変換部（ＲｏＦ）６０−ｉ（ｉ＝１〜Ｎ）へ出力する。
【００６０】
Ｅ／Ｏ変換部６０−ｉ（ｉ＝１〜Ｎ）は、ＩＦ周波数帯の基準信号ＲＥＦを光信号αｉに変換して合波器６３−ｉへ出力する。
【００６１】
合波器６３−ｉ（ｉ＝１〜Ｎ）は、光信号αｉのみからなる光信号γｉを光ファイバＦ＃ｉを通じて、送受信モジュール３０−ｉへ送信する。
【００６２】
送受信モジュール３０−ｉ（ｉ＝１〜Ｎ）内の分波器１３は、制御回路５０から光ファイバＦ＃ｉを通じて受信した光信号γｉ（＝αｉ）をＯ／Ｅ変換部（ＲｏＦ）１２へ出力する。
【００６３】
送受信モジュール３０−ｉ（ｉ＝１〜Ｎ）内のＯ／Ｅ変換部（ＲｏＦ）１２は、光信号αｉをＩＦ周波数帯の基準信号ＲＥＦに変換して、ＤＡＣ５、ＡＤＣ９および局部発振器１１へ出力する。
【００６４】
送受信モジュール３０−ｉ（ｉ＝１〜Ｎ）内の局部発振器１１は、基準信号ＲＥＦを受けて、基準信号ＲＥＦをＮ逓倍して得られる局部発振信号ＬＯをダウンミクサ８およびアップミクサ４へ出力する。
【００６５】
アンテナ素子１−ｉ（ｉ＝１〜Ｎ）に入射されたＲＦ受信信号が、送受信モジュール３０−ｉ内のサーキュレータ２を介して、低雑音増幅器７へ送られる。
【００６６】
送受信モジュール３０−ｉ（ｉ＝１〜Ｎ）内の低雑音増幅器７は、入力されたＲＦ受信信号を増幅する。
【００６７】
送受信モジュール３０−ｉ（ｉ＝１〜Ｎ）内のダウンミクサ８は、低雑音増幅器７から出力されるＲＦ受信信号と、局部発振信号ＬＯとを周波数混合して、ＩＦ受信信号を生成する。
【００６８】
送受信モジュール３０−ｉ（ｉ＝１〜Ｎ）内のＡＤＣ９は、基準信号ＲＥＦをサンプリングクロックＣＬＫとして用いて、ダウンミクサ８から出力されるＩＦ受信信号をデジタル受信信号Ｒｉに変換して、Ｅ／Ｏ変換部１０に出力する。
【００６９】
送受信モジュール３０−ｉ（ｉ＝１〜Ｎ）内のＥ／Ｏ変換部１０は、デジタル受信信号Ｒｉを光信号γｉに変換して、光ファイバＦ＃ｉを通じて制御回路５０へ出力する。
【００７０】
制御回路５０内のＯ／Ｅ変換部６２−ｉ（ｉ＝１〜Ｎ）は、光信号γｉをデジタル受信信号Ｒｉに変換して、デジタル信号処理部５２へ出力する。
【００７１】
図４は、図３のアクティブフェーズドアレイアンテナで生成される複数の信号の周波数の関係を示す図である。
【００７２】
図４において、ｆ（if）は、ＤＡＣ５から出力されるＩＦ送信信号およびＡＤＣ９に入力されるＩＦ受信信号の周波数を表わす。ｆ（clk）は、ＡＤＣ９およびＤＡＣ５のサンプリングクロックＣＬＫの周波数を表わす。ｆ（ref）は、基準信号ＲＥＦの周波数を表わす。ｆ（lo）は、局部発振信号ＬＯの周波数を表わす。ｆ（rf）は、アップミクサ４から出力されるＲＦ送信信号およびダウンミクサ８に入力されるＲＦ受信信号の周波数を表わす。ここで、以下の関係がある。
【００７３】
ｆ（clk）＝ｆ（ref）・・・（３）
ｆ（lo）＝Ｎ×ｆ（ref）・・・（４）
ｆ（rf）＝ｆ（if）＋ｆ（lo）・・・（５）
ｆ（clk)≒４×ｆ（if）・・・（６）
ただし、Ｎは、局部発振器１１の逓倍数である。
【００７４】
本実施の形態では、送受信モジュール３０−ｉの内部において、アップミクサ４およびダウンミクサ８で用いられる局部発振信号ＬＯと、ＤＡＣ５およびＡＤＣ９で用いられるサンプリングクロックＣＬＫは、同期した信号となるため、図１の従来例のようなスプリアスの発生を抑制することができる。
【００７５】
また、従来例では、図１に示すように、制御回路と送受信モジュール３０−ｉ間は、デジタル値を伝送する導体配線Ｄ＃ｉと、局部発振信号ＬＯを伝送する導体配線Ｌ＃ｉ、およびＤＡＣおよびＡＤＣのサンプリングクロックＣＬＫを伝送する導体配線Ｃ＃ｉの３つが必要であった。
【００７６】
これに対して、本実施の形態では、光ファイバＦ＃ｉを用いた単一の伝送路にデジタル送信信号Ｓｉと基準信号ＲＥＦを重畳させて伝送することによって、アクティブフェーズドアレイアンテナ全体のハードウエア規模を簡素化することができる。
【００７７】
［実施の形態２］
図５は、実施の形態２のアクティブフェーズドアレイアンテナの構成を表わす図である。図５に示す構成要素のうち、図３の実施の形態１の構成要素と同一の符号を付したものについては、その説明は繰り返さない。
【００７８】
本実施の形態の送受信モジュール３０−ｉ（ｉ＝１〜Ｎ）は、実施の形態１のＤＡＣ５、ＡＤＣ９、局部発振器１１に代えて、ＤＡＣ５ｂ、ＡＤＣ９ｂ、局部発振器１１ｂを備える。
【００７９】
局部発振器１１ｂは、基準信号ＲＥＦを受けて、基準信号ＲＥＦをＮ逓倍した信号を局部発振信号ＬＯとしてアップミクサ４およびダウンミクサ８に出力し、サンプリングクロックＣＬＫとしてＤＡＣ５ｂ、ＡＤＣ９ｂへ出力する。
【００８０】
ＡＤＣ９ｂは、基準信号ＲＥＦがＮ逓倍された信号をサンプリングクロックＣＬＫとして用いて、ＩＦ受信信号をデジタル受信信号Ｒｉに変換する。
【００８１】
ＤＡＣ５ｂは、基準信号ＲＥＦがＮ逓倍された信号をサンプリングクロックＣＬＫとして用いて、デジタル送信信号Ｓｉに含まれるデジタル値をアナログ信号に変換する。これによって、所望の周波数および位相を有するＩＦ周波数帯の送信信号（ＩＦ送信信号）が得られる。
【００８２】
ＡＤＣ９ｂおよびＤＡＣ５ｂとして、実施の形態１のＡＤＣ９およびＤＡＣ５ｂよりも、高周波のサンプリングクロックで動作することができるものを使用する。
【００８３】
図６は、図５のアクティブフェーズドアレイアンテナで生成される複数の信号の周波数の関係を示す図である。
【００８４】
図６において、ｆ（if）は、ＤＡＣ５ｂから出力されるＩＦ送信信号およびＡＤＣ９ｂに入力されるＩＦ受信信号の周波数を表わす。ｆ（clk）は、ＡＤＣ９ｂおよびＤＡＣ５ｂのサンプリングクロックＣＬＫの周波数を表わす。ｆ（ref）は、基準信号ＲＥＦの周波数を表わす。ｆ（lo）は、局部発振信号ＬＯの周波数を表わす。ｆ（rf）は、アップミクサ４から出力されるＲＦ送信信号およびダウンミクサ８に入力されるＲＦ受信信号の周波数を表わす。ここで、以下の関係がある。
【００８５】
ｆ（clk）＝ｆ（lo）＝Ｎ×ｆ（ref）・・・（７）
ｆ（rf）＝ｆ（if）＋ｆ（lo）・・・（８）
ｆ（clk)≒４×ｆ（if）・・・（９）
ただし、Ｎは、局部発振器１１ｂの逓倍数である。
【００８６】
以上のように、本実施の形態によれば、実施の形態１と同様に、スプリアスの発生を抑制することができるとともに、アクティブフェーズドアレイアンテナ全体のハードウエア規模を簡素化することができる。さらに、本実施の形態によれば、実施の形態１の場合と比較して、より高い周波数帯域での無線信号の伝送を行うことができる。
【００８７】
なお、本実施の形態では、実施の形態１のＤＡＣ５およびＡＤＣ９をＤＡＣ５ｂおよびＡＤＣ９ｂに置き換えたが、これに限定するものではなく、いずれか一方のみを置き換えるものとしてよい。
【００８８】
［実施の形態３］
図７は、実施の形態３のアクティブフェーズドアレイアンテナの構成を表わす図である。
【００８９】
図７に示す構成要素のうち、図５の構成要素と同一の符号を付したものについては、その説明は繰り返さない。
【００９０】
本実施の形態の送受信モジュール３０−ｉ（ｉ＝１〜Ｎ）は、実施の形態２のアップミクサ４およびダウンミクサ８に代えて、アップミクサ４ｂおよびダウンミクサ８ｂを備え、ＤＡＣ５ｂおよびＡＤＣ９ｂに代えて、ＤＡＣ５ｃおよびＡＤＣ９ｃを備える。
【００９１】
ＡＤＣ９ｃは、基準信号ＲＥＦがＮ逓倍された信号をサンプリングクロックＣＬＫとして用いて、ＩＦ受信信号をデジタル受信信号Ｒｉに変換する。
【００９２】
ＤＡＣ５ｃは、基準信号ＲＥＦがＮ逓倍された信号をサンプリングクロックＣＬＫとして用いて、デジタル送信信号Ｓｉに含まれるデジタル値をアナログ信号に変換する。これによって、所望の周波数および位相を有するＩＦ周波数帯の送信信号（ＩＦ送信信号）が得られる。
【００９３】
ＡＤＣ９ｃおよびＤＡＣ５ｃとして、実施の形態２のＡＤＣ９ｂおよびＤＡＣ５ｂよりも低速のものを使用することができる。
【００９４】
アップミクサ４ｂおよびダウンミクサ８ｂは、偶高調波型のミクサである。
アップミクサ４ｂは、ＤＡＣ５ｃから出力されるＩＦ送信信号と、基準信号ＲＥＦがＮ逓倍された局部発振信号ＬＯをさらに２逓倍した信号とを周波数混合して、ＲＦ送信信号を生成して、高出力増幅器３に出力する。
【００９５】
ダウンミクサ８ｂは、低雑音増幅器７から出力されるＲＦ受信信号と、基準信号ＲＥＦがＮ逓倍された局部発振信号ＬＯをさらに２逓倍した信号とを周波数混合して、ＩＦ受信信号を生成して、ＡＤＣ９へ出力する。
【００９６】
図８は、図７のアクティブフェーズドアレイアンテナで生成される複数の信号の周波数の関係を示す図である。
【００９７】
図８において、ｆ（if）は、ＤＡＣ５ｃから出力されるＩＦ送信信号およびＡＤＣ９ｃに入力されるＩＦ受信信号の周波数を表わす。ｆ（clk）は、ＡＤＣ９ｃおよびＤＡＣ５ｃのサンプリングクロックＣＬＫの周波数を表わす。ｆ（ref）は、基準信号ＲＥＦの周波数を表わす。ｆ（lo）は、局部発振信号ＬＯの周波数を表わす。ｆ（rf）は、アップミクサ４ｂから出力されるＲＦ送信信号およびダウンミクサ８ｂに入力されるＲＦ受信信号の周波数を表わす。ここで、以下の関係がある。
【００９８】
ｆ（clk）＝ｆ（lo）＝Ｎ×ｆ（ref）・・・（１０）
ｆ（rf）＝ｆ（if）＋２×ｆ（lo）≒２×ｆ（lo）・・・（１１）
ｆ（clk)≒４×ｆ（if）・・・（１２）
ただし、Ｎは、局部発振器１１ｂの逓倍数である。
【００９９】
以上のように、本実施の形態によれば、実施の形態２と同様に、スプリアスの発生の抑制することができるとともに、アクティブフェーズドアレイアンテナ全体のハードウエア規模を簡素化、より高い周波数帯域での無線信号の伝送が可能である。
【０１００】
本実施の形態と実施の形態２において、ダウンミクサに入力されるＲＦ受信信号およびアップミクサから出力されるＲＦ送信信号の周波数ｆ（rf）が等しい場合に、本実施の形態のＤＡＣ５ｃおよびＡＤＣ９ｃのサンプリングクロックの周波数を実施の形態２のＤＡＣ５ｂおよびＡＤＣ９ｂのサンプリングクロックの周波数の約１／２にすることができる。その結果、無線信号の伝送帯域も約１／２とはなるが、ＤＡＣ５ｃおよびＡＤＣ９ｃとして低速動作、低消費電力、低コストなものを採用することが可能となる。
【０１０１】
なお、本実施の形態では、実施の形態２のアップミクサ４、ＤＡＣ５ｂ、ダウンミクサ８、ＡＤＣ９ｂを、アップミクサ４ｂ、ＤＡＣ９ｃ、ダウンミクサ８ｂ、ＡＤＣ９ｃに置き換えたが、これに限定するものではない。アップミクサとＤＡＣのみ、またはダウンミクサとＡＤＣのみを置き換えるものとしてもよい。
【０１０２】
［実施の形態４］
図９は、実施の形態４のアクティブフェーズドアレイアンテナの構成を表わす図である。
【０１０３】
図９に示す構成要素のうち、図３の構成要素と同一の符号を付したものについては、その説明は繰り返さない。
【０１０４】
本実施の形態では、デジタル信号処理部５２は、送受信モジュール３０−ｉ（ｉ＝１〜Ｎ）へのデジタル送信信号ＳｉをＥ／Ｏ変換部６１−ｉへ出力する。デジタル送信信号Ｓｉは、アンテナ素子１−ｉから出力される送信信号の元となるベースバンド送信信号の同相信号および直交信号の波形のデジタル値を含む。
【０１０５】
本実施の形態の送受信モジュール３０−ｉ（ｉ＝１〜Ｎ）は、実施の形態１のＤＡＣ５、ＡＤＣ９、アップミクサ４およびダウンミクサ８に代えて、ＤＡＣ５ｄ、ＡＤＣ９ｄ、直交変調器７３および直交復調器７４を備える。
【０１０６】
ＤＡＣ５ｄは、ＩＦ送信信号ではなく、ベースバンド送信信号を出力する。ＤＡＣ５ｄは、基準信号ＲＥＦをサンプリングクロックＣＬＫとして用いて、デジタル送信信号Ｓｉに含まれるデジタル値を表わす同相信号と直交信号の一対のベースバンド送信信号を生成する。
【０１０７】
ＡＤＣ９ｄには、ＩＦ受信信号が入力されるのではなく、ベースバンド受信信号が入力される。ＡＤＣ９ｄは、基準信号ＲＥＦをサンプリングクロックＣＬＫとして用いて、同相信号と直交信号の一対のベースバンド受信信号をデジタル受信信号Ｒｉに変換する。
【０１０８】
直交変調器７３は、局部発振信号ＬＯに基づいて、ＤＡＣ５ｄから出力される同相信号と直交信号の一対のベースバンド信号を直交変調してＲＦ周波数帯の送信信号（ＲＦ送信信号）を生成する。直交変調器７３は、内部に２つのミクサと結合器とを備えている。一方のミクサが同相信号と局部発振信号ＬＯとを周波数混合し、他方のミクサが直交信号と局部発振信号ＬＯとをミクサにより周波数混合し、結合器がそれぞれの周波数混合結果を結合してＲＦ周波数帯の送信信号を生成する。ＲＦ送信信号の周波数は、局部発振信号ＬＯの周波数と同じになる。
【０１０９】
直交復調器７４は、低雑音増幅器７から出力されるＲＦ受信信号と、局部発振信号ＬＯとを周波数混合して、同相信号と直交信号の一対のベースバンド信号を生成する。直交復調器７４は、内部に分配器と２つのミクサとを備えている。分配器がＲＦ受信信号を２分配する。一方のミクサが局部発振信号ＬＯと２分配された一方のＲＦ受信信号とを周波数混合して同相信号を生成し、他方のミクサが９０度移相された局部発振信号ＬＯと２分配された他方のＲＦ受信信号とを周波数混合して直交信号を生成する。
【０１１０】
直交変調器７３および直交復調器７４として、所望の直交精度を所要の帯域幅で満足するものが実現できるものを用いる。
【０１１１】
図１０は、図９のアクティブフェーズドアレイアンテナで生成される複数の信号の周波数の関係を示す図である。
【０１１２】
図１０において、ｆ（bb）は、ＤＡＣ５ｄから出力されるベースバンド送信信号およびＡＤＣ９ｄに入力されるベースバンド受信信号の周波数を表わす。ｆ（clk）は、ＡＤＣ９ｄおよびＤＡＣ５ｄのサンプリングクロックＣＬＫの周波数を表わす。ｆ（ref）は、基準信号ＲＥＦの周波数を表わす。ｆ（lo）は、局部発振信号ＬＯの周波数を表わす。ｆ（rf）は、直交変調器７３から出力されるＲＦ送信信号および直交復調器７４に入力されるＲＦ受信信号の周波数を表わす。ここで、以下の関係がある。
【０１１３】
ｆ（ref）＝ｆ（clk）・・・（１３）
ｆ（lo）＝Ｎ×ｆ（ref）・・・（１４）
ｆ（rf）≒ｆ（lo）・・・（１５）
ただし、Ｎは、局部発振器１１の逓倍数である。
【０１１４】
以上のように、本実施の形態によれば、実施の形態１と同様に、スプリアスの発生を抑制することができるとともに、アクティブフェーズドアレイアンテナ全体のハードウエア規模を簡素化することができる。
【０１１５】
本実施の形態では、送信時には、実施の形態１のアップミクサに代えて、直交変調器を使用するので、実施の形態１のアップミクサ４で発生するようなＩＦ送信信号と局部発振信号ＬＯの周波数混合によるスプリアスが発生しない。
【０１１６】
また、受信時にも、実施の形態１のダウンミクサに代えて、直交復調器を用いるので、実施の形態１のダウンミクサで発生するようなイメージレスポンスの問題が発生しない。よって、本実施の形態では、実施の形態１よりも、さらに低スプリアスで有用度の高いアクティブフェーズドアレイアンテナを実現することができる。
【０１１７】
なお、本実施の形態では、実施の形態１のアップミクサ、ダウンミクサをそれぞれ直交変調器、直交復調器に置き換えた場合のみを例示しているが、これに限定するものではない。実施の形態２または３のアップミクサ、ダウンミクサをそれぞれ直交変調器、直交復調器に置き換えた場合でも、本実施の形態と同様の効果を奏することができる。
【０１１８】
また、本実施の形態では、実施の形態１のＤＡＣ５、ＡＤＣ９、アップミクサ４およびダウンミクサ８を、ＤＡＣ５ｄ、ＡＤＣ９ｄ、直交変調器７３および直交復調器７４に置き換えたが、これに限定するものではない。アップミクサとＤＡＣのみ、またはダウンミクサとＡＤＣのみを置き換えるものとしてもよい。
【０１１９】
［実施の形態５］
図１１は、実施の形態５のアクティブフェーズドアレイアンテナの構成を表わす図である。
【０１２０】
図１１に示す構成要素のうち、図９の構成要素と同一の符号を付したものについては、その説明は繰り返さない。
【０１２１】
本実施の形態の送受信モジュール３０−ｉ（ｉ＝１〜Ｎ）は、実施の形態５のＤＡＣ５ｄに代えて、ＤＤＳ（Direct Digital Synthesizer）１５を備える。
【０１２２】
本実施の形態では、デジタル信号処理部５２は、送受信モジュール３０−ｉ（ｉ＝１〜Ｎ）へのデジタル送信信号ＳｉをＥ／Ｏ変換部６１−ｉへ出力する。デジタル送信信号Ｓｉは、アンテナ素子１−ｉから出力される送信信号の位相を表わす位相情報および周波数を表わす周波数情報を含む。
【０１２３】
送受信モジュール３０−ｉ（ｉ＝１〜Ｎ）内のＤＤＳ１５は、基準信号ＲＥＦをサンプリングクロックＣＬＫとして用い、デジタル送信信号Ｓｉに含まれる位相情報で表される位相および周波数情報で表される周波数を有する同相信号と直交信号の一対のベースバンド送信信号を生成する。
【０１２４】
たとえば、ＤＤＳ１５は、位相アキュムレータ、位相−振幅コンバータ、およびＤ／Ａコンバータの回路を備える。位相アキュムレータは、デジタル送信信号Ｓｉの位相情報の位相値を基準として、サンプリングクロックＣＬＫのタイミング毎に、デジタル送信信号Ｓｉの周波数情報をもとに決まる増分値を加算して、送信信号の位相を生成する。位相−振幅コンバータが送信信号の位相を同相用の振幅データおよび直交用の振幅データに変換し、Ｄ／Ａコンバータが各振幅データをベースバンド送信信号（同相信号または直交信号）に変換する。
【０１２５】
ＤＤＳ１５は、実施の形態４のＤＡＣ５ｄで生成したのと同様の送信信号を出力することが可能である。ＤＤＳ１５は、上述のように無線信号波形を生成するための回路が内蔵されている。実施の形態４のＤＡＣ５ｄでは、ベースバンドの送信信号を生成するために、生成する送信信号の波形をデジタル信号により逐一入力する必要が有る。これに対し、ＤＤＳ１５は、送信信号の周波数と位相の指定を行うだけで、内部に備える回路によりベースバンドの送信信号を生成することができる。それゆえ、ＤＤＳ１５の処理量は、ＤＡＣ５ｄの処理量よりも少なくて済み、デジタル回路の規模を削減することが可能となる。
【０１２６】
なお、本実施の形態では、実施の形態５のＤＡＣ５ｄをＤＤＳに置き換えたが、これに限定するものではない。他の実施形態のＤＡＣをＤＤＳに置き換えるものとしてもよい。
【０１２７】
［実施の形態６］
図１２は、実施の形態６のアクティブフェーズドアレイアンテナの構成を表わす図である。
【０１２８】
図１２に示す構成要素のうち、図５の実施の形態２の構成要素と同一の符号を付したものについては、その説明は繰り返さない。
【０１２９】
本実施の形態の送受信モジュール３０−ｉ（ｉ＝１〜Ｎ）は、実施の形態２のＤＡＣ５ｂ、ＡＤＣ５ｂ、局部発振器１１ｂに代えて、ＤＡＣ５ｅ、ＡＤＣ５ｅ、局部発振器１１ｅを備える。また、本実施の形態の送受信モジュール３０−ｉ（ｉ＝１〜Ｎ）は、実施の形態２の構成要素に加えて、周波数分周器１６ａと周波数分周器１６ｂとを備える。
【０１３０】
局部発振器１１ｅは、基準信号ＲＥＦを受けて、基準信号ＲＥＦをＮ逓倍した信号を局部発振信号ＬＯとしてアップミクサ４およびダウンミクサ８に出力し、さらに、周波数分周器１６ａおよび周波数分周器１６ｂに出力する。
【０１３１】
周波数分周器１６ａは、基準信号ＲＥＦをＮ逓倍した信号をＭ分周して、サンプリングクロックＣＬＫとして、ＤＡＣ５ｅに出力する。
【０１３２】
周波数分周器１６ｂは、基準信号ＲＥＦをＮ逓倍した信号をＭ分周して、サンプリングクロックＣＬＫとして、ＡＤＣ５ｅに出力する。
【０１３３】
ＡＤＣ９ｅは、基準信号ＲＥＦがＮ逓倍されて、さらにＭ分周された信号をサンプリングクロックＣＬＫとして用いて、ＩＦ受信信号をデジタル受信信号Ｒｉに変換する。
【０１３４】
ＤＡＣ５ｅは、基準信号ＲＥＦがＮ逓倍されて、さらにＭ分周された信号をサンプリングクロックＣＬＫとして用いて、デジタル送信信号Ｓｉに含まれるデジタル値をアナログ信号に変換する。これによって、所望の周波数および位相を有するＩＦ周波数帯の送信信号（ＩＦ送信信号）が得られる。
【０１３５】
図１３は、図１２のアクティブフェーズドアレイアンテナで生成される複数の信号の周波数の関係を示す図である。
【０１３６】
図１３において、ｆ（if）は、ＤＡＣ５ｅから出力されるＩＦ送信信号およびＡＤＣ９ｅに入力されるＩＦ受信信号の周波数を表わす。ｆ（clk）は、ＡＤＣ９ｅおよびＤＡＣ５ｅのサンプリングクロックＣＬＫの周波数を表わす。ｆ（ref）は、基準信号ＲＥＦの周波数を表わす。ｆ（lo）は、局部発振信号ＬＯの周波数を表わす。ｆ（rf）は、アップミクサ４から出力されるＲＦ送信信号およびダウンミクサ８に入力されるＲＦ受信信号の周波数を表わす。ここで、以下の関係がある。
【０１３７】
ｆ（lo）＝Ｎ×ｆ（ref）・・・（１６）
ｆ（clk）＝Ｎ×ｆ（ref）／Ｍ・・・（１７）
ｆ（rf）＝ｆ（if）＋ｆ（lo）・・・（１８）
ｆ（clk)≒４×ｆ（if）・・・（１９）
ただし、Ｎは、局部発振器１１ｅの逓倍数、Ｍは、周波数分周器１６ａおよび１６ｂの分周数である。
【０１３８】
以上のように、本実施の形態によれば、実施の形態２と同様に、スプリアスの発生の抑制することができるとともに、アクティブフェーズドアレイアンテナ全体のハードウエア規模を簡素化、より高い周波数帯域での無線信号の伝送が可能である。
【０１３９】
本実施の形態と実施の形態２において、ダウンミクサへ入力されるＲＦ受信信号およびアップミクサから出力されるＲＦ送信信号の周波数ｆ（rf）が等しい場合に、本実施の形態のＤＡＣ５ｅおよびＡＤＣ９ｅのサンプリングクロックの周波数を実施の形態２のＤＡＣ５ｂおよびＡＤＣ９ｂのサンプリングクロックの周波数の約１／Ｍにすることができる。その結果、無線信号の伝送帯域も約１／Ｍとなるが、ＤＡＣ５ｅおよびＡＤＣ９ｅとして低速動作、低消費電力、低コストなものを採用することが可能となる。
【０１４０】
なお、本実施の形態では、実施の形態２のＤＡＣ５ｂ、ＡＤＣ５ｂ、局部発振器１１ｂに代えて、ＤＡＣ５ｅ、ＡＤＣ５ｅ、局部発振器１１ｅを備えるものとしたが、これに限定するものではない。他の実施形態のＤＡＣ、ＡＤＣ、局部発振器に代えて、ＤＡＣ５ｅ、ＡＤＣ５ｅ、局部発振器１１ｅを備えるものとしてもよい。
【０１４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１４２】
本発明による送受信モジュールは、マルチビームを用いた移動体通信等の分野などで利用することができる。
【符号の説明】
【０１４３】
１−１〜１−Ｎ  アンテナ素子、２  サーキュレータ、３  高出力増幅器、４，４ｂ  アップミクサ、５，５ｂ，５ｃ，５ｄ，５ｅ  ＤＡＣ、６，１２，６２−１〜６２−Ｎ  Ｏ／Ｅ変換部、７  低雑音増幅器、８，８ｂ  ダウンミクサ、９，９ｂ，９ｃ，９ｄ，９ｅ  ＡＤＣ、１０，６０−１〜６０−Ｎ，６１−１〜６１−Ｎ  Ｅ／Ｏ変換部、１１  局部発振器、１３  分波器、１５  ダイレクトディジタルシンセサイザ、１６  周波数分周器、５０，９０  制御回路、５２，９２  デジタル信号処理部、９４  クロック発振器、１１，１１ｂ，１１ｅ，９６  局部発振器、５４  基準信号発振器、５６，９５，９７  Ｎ分配器、７３  直交変調器、７４  直交復調器、３０−１〜３０−Ｎ  送受信モジュール。
【図１】
0006502218.tif 000002
【図２】
0006502218.tif 000003
【図３】
0006502218.tif 000004
【図４】
0006502218.tif 000005
【図５】
0006502218.tif 000006
【図６】
0006502218.tif 000007
【図７】
0006502218.tif 000008
【図８】
0006502218.tif 000009
【図９】
0006502218.tif 000010
【図１０】
0006502218.tif 000011
【図１１】
0006502218.tif 000012
【図１２】
0006502218.tif 000013
【図１３】
0006502218.tif 000014